(57)【要約】【課題】  同一キャビネット内に複数系統の幹線を配置する場合にも、キャビネットの幅寸法を小さくすることができる母線バーの接続部を提供する。【解決手段】  盤面に対して垂直に設けた母線バー１０の端部を、母線バー１０の延長面に対して横方向に傾斜させる。これにより入線ケーブル１５を母線バー１０に対して斜め方向から接続できるようになる。なお母線バー１０の端部の入線接続孔１８を、深さ方向、あるいは長さ方向に位置を異ならせ、母線バー１０への入線ケーブル１５の接続を容易化することもできる。【選択図】    図１
2005312267.tif 000002
【特許請求の範囲】
【請求項１】
異なる複数の系統を盤面の上下方向に配置した配電盤の母線バー接続部において、母線バーを盤面に垂直に設けると共に、少なくとも１系統の母線バーの端部を、母線バーの延長面に対して横方向に傾斜させたことを特徴とする配電盤の母線バー接続部。
【請求項２】
母線バーの端部に、互いに深さ方向の異なる位置に入線ケーブルを接続可能な入線接続孔を設けたことを特徴とする請求項１記載の母線バーの接続部。
【請求項３】
母線バーの端部に、互いに長さ方向の異なる位置に入線ケーブルを接続可能な入線接続孔を設けたことを特徴とする請求項１または２記載の母線バーの接続部。
【発明の詳細な説明】
【技術分野】
【０００１】
本発明は、プラグイン分電盤、プラグイン配電盤などに用いるに適した母線バーと入線ケーブルとの接続部に関するものである。
【背景技術】
【０００２】
プラグイン分電盤、プラグイン配電盤などには、キャビネットの盤面に対して垂直に３本の母線バーが配置されており、底面にプラグイン接続端子を備えた分岐ブレーカを、これらの母線バーに前面側から差し込む構造となっている（特許文献１）。これらの母線バーの端部には入線ケーブルが接続され、また分岐ブレーカからは出線が負荷側に引き出される。
【０００３】
ところが図７に示すように同一キャビネット内に電灯用と動力用の異なる２種類の系統を混在させた配電盤や、電灯用であっても引き込み元の変圧器が異なる場合など２種類の系統を配置した配電盤では、2系統の入線ケーブル３ａ、３ｂが必要となるが、入線ケーブル容量が大きい場合には太い入線ケーブル３ａ、３ｂを直角に曲げることは容易ではない。このため図８のように、キャビネット内で母線バー１ａ、１ｂを上下左右にずらして配置しており、キャビネットの幅寸法が大きくなるという問題があった。
【０００４】
また図９のように上部の分岐ブレーカ２ａのための入線ケーブル３ａと、下部の分岐ブレーカ２ｂからの出線４ｂとをオーバーラップさせる構造とすれば、キャビネットの幅寸法を多少小さくすることができるが、母線バー１ａ、１ｂを上下左右にずらして配置することは図８と同じであり、大幅にキャビネットの幅寸法を小さくすることはできない。また、出線４ａと出線４ｂとを反対側に引き出そうとすると分岐ブレーカ２ａと分岐ブレーカ２ｂとの向きが逆になるので、同一キャビネット内に配置された分岐ブレーカ２ａと分岐ブレーカ２ｂとのハンドルの向きも逆になるという別の問題が生じることとなる。
【特許文献１】特開平５−３０８７０５号公報
【発明の開示】
【発明が解決しようとする課題】
【０００５】
本発明は上記した従来の問題点を解決し、同一キャビネット内に複数の幹線を配置する場合にも、キャビネットの幅寸法を小さくすることができる母線バーと入線ケーブルとの接続部を提供するためになされたものである。
【課題を解決するための手段】
【０００６】
上記の課題を解決するためになされた本発明の母線バーの接続部は、異なる複数の系統を盤面の上下方向に配置した配電盤の母線バー接続部において、母線バーを盤面に垂直に設けると共に、少なくとも１系統の母線バーの端部を、母線バーの延長面に対して横方向に傾斜させたことを特徴とするものである。なお母線バーの端部に、互いに深さ方向の異なる位置に入線ケーブルを接続可能な入線接続孔を設けた構造、あるいは母線バーの端部に、互いに長さ方向の異なる位置に入線ケーブルを接続可能な入線接続孔を設けた構造とすることもできる。
【発明の効果】
【０００７】
本発明の接続部を持つ母線バーを用いれば、母線バーの延長面に対して入線ケーブルを斜め方向から接続することができる。このため実施形態に示すように、同一キャビネット内に複数系統の幹線を配置する場合にも、キャビネットの幅寸法を小さくすることができる。また母線バーの端部の入線接続孔を、深さ方向または長さ方向に位置を異ならせておけば、締付工具を使用しての接続作業が容易となる。
【発明を実施するための最良の形態】
【０００８】
図１は本発明の第１の実施形態を示す図であり、１０は３本の母線バー、１１はその上面に差し込まれたプラグイン式の分岐ブレーカ、１４は機器固定用レールである。各母線バー１０はキャビネットの盤面に対して垂直に設置されている。各母線バー１０の端部は、母線バー１０の延長面に対して横方向に傾斜されている。母線バー１０自体を屈曲させてもよいが、図示のようにくの字状に屈曲させた入線補助バー１２をボルト１３を用いて接続することにより、母線バー１０の端部を母線バー１０の延長面に対して横方向に傾斜させた構造とすることが好ましい。なお、入線補助バー１２の他端の入線接続孔１８には、入線ケーブル１５の先端の端子金具１６がボルト１７により固定されている。
【０００９】
このように、母線バー１０の端部をその延長面に対して横方向に傾斜させた構造とすれば、入線ケーブル１５を斜め方向から引き込むことができる。このため、同一キャビネット内に複数系統の幹線を配置する場合にも、図５に示すように上下の母線バー１０ａ、１０ｂを入線に対して平行に配置すれば、図６から図８に示した従来のものよりも、キャビネットの横幅を狭くすることができる。
【００１０】
図２は本発明の第２の実施形態を示すもので、中央の母線バー１０に設けられた入線補助バー１２は実施形態１と同じであるが、両側の母線バー１０に設けられた入線補助バー１２は、深さ方向の幅を大きく形成し、入線接続孔１８の位置を深さ方向に異ならせたものである。すなわち、図面の手前側の母線バー１０に接続された入線補助バー１２には入線補助バー１２をボルト１３にて母線バー１０に取り付けるための接続孔２０が上側縁部より下側に向けて２個設けられたうえ、入線補助バー１２に入線ケーブル１５を接続するための入線接続孔１８が上側縁部に設けられている。また、一番奥側の入線補助バー１２には接続孔２０が下側縁部より上側に向けて２個設けられたうえ、入線接続孔１８が下側縁部に設けられている。従って、上記の入線補助バー１２を介して入線ケーブル１５を母線バー１０に接続すれば、入線ケーブル１５と入線補助バー１２との接続部は互いに段違いになるため、作業者はボルト１７を締付ける時に、締付工具が隣接する入線ケーブル１５等に当たることがなく、接続作業が容易になる。
【００１１】
また、図３に示すように入線補助バー１２に母線バー１０との接続孔１８を複数個（図３の例では３個）深さ方向に設けると共に、入線ケーブル１５との接続孔２０も複数個（図３の例では２個）深さ方向に設けておけば、１種類の入線補助バー１２で入線ケーブル１５との接続部を互いに段違いに設けることができるうえ、例えば、両側の入線ケーブル１５の接続部は高くし、中央の入線ケーブル１５の接続部は低くするといったような設置状況に応じた配置とすることも可能である。
【００１２】
図４は本発明の第３の実施形態を示すもので、入線補助バー１２の長さを変えることにより、入線接続孔１８の位置を長さ方向に異ならせたものである。このような構造としても、作業者はボルト１７を締付ける時に締付工具が隣接する入線ケーブル等に当たることがなく容量の大きい太い入線ケーブル１５の接続作業が容易になる。
【００１３】
図５に示す本発明の第４の実施形態は、第２の実施形態と第３の実施形態とを組み合わせたものであり、入線接続孔１８の位置を高さ方向及び長さ方向に異ならせたものである。このような構造とすれば、入線ケーブル１５の接続作業をより一層容易にすることができる。
【００１４】
以上に説明したように、本発明によれば母線バー１０への入線ケーブル１５を斜め方向から容易に引き込むことができるため、同一キャビネット内に２系統以上の幹線を配置する場合にも、図６に示すように上下の母線バー１０ａ、１０ｂを一列に並べることができ、キャビネットの横幅を狭くすることができる。しかも図５の配置とすれば、上下の分岐ブレーカ１１ａ、１１ｂからの出線１９ａ、１９ｂを同一方向にできるので、それらのハンドルの向きをそろえることができる。さらに、深さ方向の異なる位置に入線ケーブルを接続可能な入線接続孔を設けたことによりボルト締付け作業時に、締付工具が隣接する入線ケーブル等に当たることがなく、接続作業が容易になるものである。
【図面の簡単な説明】
【００１５】
【図１】本発明の第１の実施形態を示す斜視図である。
【図２】本発明の第２の実施形態を示す斜視図である。
【図３】本発明の第２の実施形態の変形例を示す斜視図である。
【図４】本発明の第３の実施形態を示す斜視図である。
【図５】本発明の第４の実施形態を示す斜視図である。
【図６】盤内の使用状態を示す正面図である。
【図７】従来例を示す正面図である。
【図８】他の従来例を示す正面図である。
【図９】他の従来例を示す正面図である。
【符号の説明】
【００１６】
１  母線バー
２  分岐ブレーカ
３  入線ケーブル
４  出線
１０  母線バー
１１  プラグイン式の分岐ブレーカ
１２  入線補助バー
１３  ボルト
１４  機器固定用レール
１５  入線ケーブル
１６  端子金具
１７  ボルト
１８  入線接続孔
１９  出線
２０  接続孔
【図１】
2005312267.tif 000003
【図２】
2005312267.tif 000004
【図３】
2005312267.tif 000005
【図４】
2005312267.tif 000006
【図５】
2005312267.tif 000007
【図６】
2005312267.tif 000008
【図７】
2005312267.tif 000009
【図８】
2005312267.tif 000010
【図９】
2005312267.tif 000011